【事件の表示】
　特許第３１０５９９６号「床パネル」の請求項１に係る特許に対する特許異議の申立てについて、次のとおり決定する。
【結　論】
　訂正を認める。
　特許第３１０５９９６号の請求項１に係る特許を維持する。
【理　由】
１．手続の経緯
　本件特許第３１０５９９６号に係る出願は、平成４年４月１３日の出願であって、平成１２年９月１日に特許権の設定登録がなされ、その後、古閑典子から特許異議の申立てがなされ、取消理由が通知され、その指定期間内である平成１３年９月２８日付けで訂正請求書と特許異議意見書が提出された。
　
２．訂正の適否についての判断
（１）訂正の内容
　
（訂正事項ａ）
　特許請求の範囲の請求項１を、
「【請求項１】金属のチャンネル材にて形成せるパネル枠の上面側に木下地等の断熱性が高く堅固な下地材を固定し、パネル枠に複数本の木質根太を架設して木質根太の端部をパネル枠の枠材内にはめ込んで取り付けると共に木質根太の上面をパネル枠の上面より突出させて木質根太の上面を上記下地材の上面と面一にし、下地材及び木質根太の上面上に床面材を固定し、床面材の裏面に配置した断熱材を下地材間にはめ込んで取り付けて成ることを特徴とする床パネル。」と訂正する。
　
（訂正事項ｂ）
　段落【０００５】の「・・・下地材６や木質根太２ｂの上面上に床面材４を固定し・・・」を、「・・・下地材６及び木質根太２ｂの上面上に床面材４を固定し・・・」と訂正する。
　
（訂正事項ｃ）
　段落【０００６】の「・・・下地材６や木質根太２ｂの上面上に床面材４を固定し・・・」を、「・・・下地材６及び木質根太２ｂの上面上に床面材４を固定し・・・」と訂正する。
　
（訂正事項ｄ）
　段落【０００７】の「・・・パーティクルボード、合板等の床面材４は下地材６や木質根太２ｂの上に載置され、下地材６や木質根太２ｂの上に固定してある。ボード状や繊維状の断熱材５は床面材４の裏面側で下地材６と木質根太２ｂとの間や木質根太２ｂ間に配置され、・・・」を、「・・・パーティクルボード、合板等の床面材４は下地材６及び木質根太２ｂの上に載置され、下地材６及び木質根太２ｂの上に固定してある。ボード状や繊維状の断熱材５は床面材４の裏面側で下地材６と木質根太２ｂとの間及び木質根太２ｂ間に配置され、・・・」と訂正する。
　
（訂正事項ｅ）
　段落【０００９】の「・・・下地材や木質根太の上面上に床面材を固定し・・・」を、「・・・下地材及び木質根太の上面上に床面材を固定し・・・」と訂正する。
　
（訂正事項ｆ）
　訂正前の第２図を訂正後の第４図に、訂正前の第４図を訂正後の第２図に、それぞれ訂正する。
　
（２）訂正の目的の適否、新規事項の有無及び拡張・変更の存否
　上記訂正事項ａに係る訂正は、特許請求の範囲の減縮を目的とするものであり、しかもその訂正は、新規事項の追加に該当せず、実質的に特許請求の範囲を拡張し、又は変更するものではない。
　また、訂正事項ｂ〜ｅに係る訂正は、訂正事項ａに関連し、特許請求の範囲との整合をとるためになされた明りょうでない記載の釈明に該当し、新規事項の追加に該当せず、実質的に特許請求の範囲を拡張し、又は変更するものではない。
　訂正事項ｆに係る訂正は、誤記の訂正を目的とするもので、新規事項の追加に該当せず、実質的に特許請求の範囲を拡張し、又は変更するものではない。
　
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．異議の申立てについての判断
（１）本件訂正後発明
　上記２．で示したように上記訂正が認められるから、本件の請求項１に係る発明（以下、「本件発明」という。）は、上記訂正に係る訂正明細書の特許請求の範囲の請求項１に記載されたとおりのものである（上記２．（１）（訂正事項ａ）参照）。
　
（２）申立ての理由の概要
　申立人古閑典子は、下記の甲第１号証〜甲第４号証を提出して、本件請求項１に係る発明の特許は、特許法第２９条第２項の規定に違反してされたものであるから、取り消されるべきものである旨主張している。
甲第１号証：ユーロプレファブ協会編、「ヨーロッパプレファブ建築ハンドブック」、２版、株式会社工業調査会、１９７２年６月１５日、第１１〜１５頁、第１７０〜１７１頁
甲第２号証：実願昭６２−４６５７５号（実開昭６３−１５２８４１号）のマイクロフィルム
甲第３号証：特公昭６１−３９４３号公報
甲第４号証：実願昭６２−８０１８４号（実開昭６３−１８７６６１号）のマイクロフィルム
　
（３）引用刊行物
刊行物１：特公昭６１−３９４３号公報（上記甲第３号証）
刊行物２：実願昭６０−１４０５６２号（実開昭６２−４７６４３号）のマイクロフィルム
刊行物３：ユーロプレファブ協会編、「ヨーロッパプレファブ建築ハンドブック」、２版、株式会社工業調査会、１９７２年６月１５日、第１１〜１５頁、第１７０〜１７１頁（上記甲第１号証）
　
（４）引用刊行物及び申立人が提出した甲各号証記載の発明
　刊行物１（甲第３号証）には、「建物ユニットの形成に当り、床面部を構成する枠組、両側の側面部を構成する枠組、天井部を構成する枠組みの各枠組があらかじめ形成され、これらが互に接合されて箱形枠組とされる例が示されている」（第２頁第３欄第１〜５行）、「第２図及び第３図は本発明における建物ユニットの床面部を形成する枠組の一例として示している。１，１は床梁とされる軽量溝形鋼である。２，２…は床小梁とされる補助骨材で、軽量角形鋼管からなる。３，３は枠骨受片であり、溝形断面を形成するように鋼板が曲折されてなり、補助骨材２の双方の先端に夫々溝形の開口部側を外方に向けてアーク溶接で固着されている。溝形鋼１，１はその溝の開口部側を内側にして相対向され、この一対の溝形鋼１，１間に補助骨材２，２………が掛け渡され、掛け渡された各補助骨材２，２………における枠骨受片３はその上部側板３１が溝形鋼１の上部フランジ１１の上に又下部側板３２が下部フランジ１２の上に重ね合された状態で溝形鋼１に嵌合される。」（第２頁第３欄第９〜２３行）、および、「第６図は、床部とされる枠組に必要な部材が取り付けられた一例を示す。（第１図、第２図も共に参照）１０，１０………は床根太で、木の角材からなり、補助骨材２，２………の上にこれと交叉して差し渡されて取り付けられる。なお各床根太１０，１０………の両端は段状に切欠かれた先端１０１がこの枠組と接合される側面用の枠組Ｃの溝形鋼（床梁）６に載置され固定される。１０２はパーテイクルボートの床下地板で、床根太１０，１０………の上にこれらを覆って取付けられる。１０３は合板の床下面覆い板で、補助骨材２，２………の下側に取り付けられる。又枠組の内部には断熱材１０４も詰められる。これらの部材は、前述のように、各枠組を互に接合する前あるいは接合した後で取り付けられる。」（第３頁第５欄第１９〜３３行）と記載され、第３図には、枠組の断面において、枠組受片３の上部側板３１の上面と床根太１０の上面がほぼ面一にされていることが記載されていると認められる。これらの記載と第１〜３図および第６図の記載からみて、刊行物１には、溝形鋼にて形成せる床梁１，１間に、双方の先端に溝形断面を形成するように鋼板が曲折されてなる枠骨受片３が固着された補助骨材２，２が枠骨受片３の上部側板３１が床梁１の上部フランジ１１の上に重ね合わさるように掛け渡された床部の枠組の補助骨材上にこれと交叉して複数本の木の角材からなる床根太１０を取り付けると共に、枠骨受片の上部側板及び床根太の上面上に床下地板１０２を固定し、床下地板の裏面に配置した断熱材１０４を床根太間に詰めて成る枠組の発明、及び、枠組の床根太を床梁１，１と同一平面上で直交する溝形鋼にて形成せる床梁６，６上に、床根太の両端下部が段状に切欠かれた先端を載置し、床根太の上面を床梁６，６の上面より突出させて床梁１の上部フランジ１１上に重ね合わせた枠骨受片３の上部側板３１とほぼ面一に固定することが記載されているものと認められる。
　
　刊行物２には、「図において床パネル１は、枠材２、２、３、３を矩形に接合した枠組４の上面に下地板５を添設するとともに、該下地板５上に並設される下地桟６…を介して木質の表面材７を敷設している。枠材２、３は、ウエブ１１の上下にフランジ１２、１２を形成した溝形の形鋼材からなり、枠材２の両端部には巾狭部１５、１５を形成し、又枠材３は枠材２より長尺に設定されている。枠組４は、前記枠材２、２、３、３を各溝部を向き合わせかつ枠材２の巾狭部１５、１５を枠材３のフランジ１２、１２間に挿入し、例えば溶着により矩形に接合している。又枠材２、２間には溝形鋼材からなる中の枠材１７がその両端に設けた巾狭部１５を該枠材２の上下のフランジ１２、１２間に挿入することによって枠材３と平行に架け渡されている。又巾狭部１５により、枠材２、３及び枠材１７の上下面は斉一する。又枠組４の上面には鋼板製の下地板５が添設される。なお下地板５は、枠組４と同寸の矩形をなし例えば枠組４に溶着することによって枠組４に揃えて添設される。」（第２頁第１３行〜第３頁第１３行）と記載され、この記載と第１図の記載からみて、刊行物２には、溝形の形鋼材にて形成せる枠組に複数本の枠材１７を架設して枠材１７の端部を枠組の枠材２内にはめ込んで取り付けると共に枠材１７の上面上に下地板を固定した床パネルの発明が記載されているものと認められる。
　
　刊行物３（甲第１号証）は、ヨーロッパにおける工業化住宅建設方式のハンドブックであり、第１７１頁右下部には、「Ｔｒｕｓｔｅｅｌ（ＵＫ）」というシステムにおける「レンガ造戸境壁／床　鉛直断面」の図面が記載されており、この図面の記載からみて、刊行物３には、断面Ｃ形部材の上面側に角形部材を固定し、鋼製柱の端部をＣ形部材内に取り付けると共に鋼製柱の上面をＣ形部材の上面より突出させて鋼製柱の上面を上記角形部材の上面と面一にし、角形部材や鋼製柱の上面上に床仕上材を配置した床の構造の発明が記載されているものと認められる。
　
　甲第２号証には、「互いに平行に配置した複数の木根太の端部間を連結するようにして、床支持部材への固定具となる金属フレームを取り付けてなることを特徴とする木根太を使用した床パネル。」（第１頁第５〜８行）、および、「以下、この考案の構成を図示の実施例に基づいて説明すると、第１図において、（１）（１）・・・は、断面長方形の木材を所定の長さに切断した木根太であり、これらの木根太（１）（１）・・・が互いに平行に配置され、その上面に跨がって、床板（２）がビス或いは釘打ち等によって固定されている。また、各木根太（１）（１）・・・の先端部は、第２図でも示すように、その下半部が長方形状に切欠（３）されている。（４）は、断面Ｌ形の本体部（５）とこの本体部（５）の上端よりその背面方向へ水平に連接した取付け部（６）とからなるこの考案の金属フレームであり、前記本体部（５）には、前記木根太（１）の幅に対応して間隔をおいて配置される一対の接合片（７）（７）が、同じく木根太（１）（１）・・・の配置間隔に応じて、本体部（５）の垂直部と水平片部とに跨がって溶接して固着されている。そして、木根太（１）（１）・・・の端部を、前記切欠部（３）の上部において、これら１対の接合片（７）（７）間に挿入し、この接合片（７）（７）に形成した釘穴（８）より、釘或いはビスを挿し込んで固定され、これによって、各木根太（１）（１）・・・が相互に連結されている。」（第３頁第１３行〜第４頁第１７行）と記載され、これらの記載と第１〜４図の記載からみて、金属フレームに複数本の木根太の端部を取り付けると共に木根太の上面を金属フレームの上面より突出させて、木根太の上面上に床板を固定した床パネルの発明が記載されているものと認められる。
　
　甲第４号証には、「しかして本考案に係る床構造は、断面が上向き開口の略コ字型に形成される受け金物１を根太３の下部に被嵌した状態で大引２上に取り付けると共に根太３上に床材４を張設し、受け金物１の両側の側片５に根太３の上面より下側位置において支持片６を外方へ突出させて設け、床材４の下側に配設される断熱材７の端部を受け金物１の支持片６上に載置して支持させて成ることを特徴とするものであり、根太３を大引２に取り付ける際に断熱材７を支持するための受け金物１の取り付けも同時におこなうことができる」（第２頁第１２行〜第３頁第２行）と記載され、この記載と第１、２図の記載からみて、根太の上面上に床材を固定し、床材の裏面に断熱材を配置した床構造が記載されているものと認められる。
　
（５）対比・判断
　本件発明と刊行物１に記載された発明を対比すると、刊行物１に記載された発明の「溝形鋼」、「床梁１，１」、「床部の枠組」、「木の角材からなる床根太」、「床下地板」、「詰めて」、「床下地板および断熱材が取り付けられた枠組」は、それぞれ、本件発明の「金属のチャンネル材」、「枠材」、「パネル枠」、「木質根太」、「床面材」、「はめ込んで取り付けて」、「床パネル」に相当するものであるから、両者は、金属のチャンネル材にて形成せるパネル枠に複数本の木質根太を設けると共に木質根太の上面をチャンネル材の上面より突出させ、木質根太の上面上に床面材を固定し、床面材の裏面に断熱材をはめ込んで取り付けて成る床パネルの点で一致し、以下の点で相違する。
（１）パネル枠が、本件発明では、図面等を参照すると対向する二対の枠材で構成されているのに対し、刊行物１に記載された発明では、対向する一対の床梁１，１しか有しておらず、これに直交し、床根太が架設され、対向する一対の床梁６，６は、パネル枠と別体である点
（２）本件発明では、金属のチャンネル材にて形成せるパネル枠に根太の端部をパネル枠の枠材内にはめ込んで取り付けているのに対し、刊行物１に記載された発明では、溝形鋼からなる床梁に根太の端部を載置して取り付けている点
（３）本件発明では、パネル枠の上面側に木下地等の断熱性が高く堅固な下地材を固定し、木質根太の上面を下地材の上面と面一にし、下地材及び木質根太の上面上に床面材を固定しているが、刊行物１に記載された発明では、本件発明の下地材に相当する独立した部材が存在しておらず、鋼板からなる枠骨受片の上部側板及び木の角材からなる床根太の上面上に床材を固定している点
（４）床面材の裏面に配置した断熱材を、本件発明では、下地材間にはめ込んで取り付けているのに対し、刊行物１に記載された発明では、床根太間にはめ込んで取り付けている点
　
上記相違点について検討する。
　相違点（１）について
　刊行物２にも記載されているが、一般的にパネル枠（枠組）を対向する二対の枠材で構成することは、周知技術であり、刊行物１に記載された発明における別体の床梁６，６を床部の枠組の構成部材として一般的パネル枠の構成とすることは設計的事項にすぎない。
　
　相違点（２）について
　刊行物２には、溝形の形鋼材（本件発明の「金属のチャンネル材」に相当する。）にて枠組（本件発明の「パネル枠」に相当する。）を形成し、枠材１７（本件発明の「根太」に相当する。）の端部を枠組の枠材２（本件発明の「枠材」に相当する。）内にはめ込んで取り付けたものが記載されており、刊行物１に記載された発明における、根太の端部の取り付け手段としてこれを採用し、相違点（２）における本件発明に係る構成とすることは、当業者が容易になし得たものと認められる。
　
　相違点（３）について
　刊行物１の床面材が固定される床根太の床梁６，６の上面より突出した先端上部は、この床根太が木の角材からなるものであるから、本件発明の木下地等の断熱性が高く堅固な下地材と同様の機能を有する部分（以下、「下地材に相当する部分」という。）ということができる。そして、下地材に相当する部分は床根太の端部であることから、その上面は床根太の上面と面一にされているものである。一方、刊行物３には、断面Ｃ形部材の上面側に角形部材（本件発明の「下地材」に相当する。）を固定し、鋼製柱（本件発明の「根太」に相当する。）の上面をＣ形部材の上面より突出させて鋼製柱の上面を上記角形部材の上面と面一にした床の構造が記載されている。本件発明ではパネル枠の、刊行物３に記載された発明では断面Ｃ形部材の、それぞれ上面に下地材が固定されている点で両者は一応相違するが、どちらも床を構成する水平棒状部材であり、根太の端部が固定され、その上面に下地材を介して床面材が固定されるものであることを考慮すれば、刊行物３に記載された発明の「断面Ｃ形部材」は、本件発明の「パネル枠」に相当するものということができる。したがって、刊行物１に記載された発明の下地材に相当する部分を、刊行物３に記載された発明の角形部材のように独立した部材とすることは当業者が容易になし得たものと認められる。しかしながら、刊行物１に記載された発明の枠組を構成するもう一対の枠材である床梁１，１上には、鋼板からなる枠骨受片の上部側板が重ね合わされており、この上部側板は、本件発明の木下地等の断熱性が高く堅固な下地材と同様の機能を有するということはできない。そして、刊行物１に記載された発明において、床面材は、この枠骨受片の上部側板の上にも固定されるものであるから、刊行物１には、相違点（３）に係る本件発明の構成の一部である、木下地等の断熱性が高く堅固な下地材及び木質根太の上面上に床面材を固定する点については、何ら記載されていないし示唆もされていない。さらに、刊行物２、３及び甲第２、４号証のいずれにも、この点について、記載も示唆もされていない。そして、本件発明は、この構成を備えることにより、明細書記載の顕著な作用効果を奏するものである。
　
　相違点（４）について
　本件発明も、刊行物１に記載された発明も、どちらも床面材の裏面に隙間無く断熱材を配置するために、床面材の裏面に存在する部材間に断熱材をはめ込んで取り付けているものであるので、刊行物１に記載された発明の「床根太」は、本件発明の「下地材」に相当するものということができ、相違点（４）における両者の構成に実質的な差異はない。
　
　したがって、本件発明は、上記相違点（３）により、刊行物１〜３、甲第２、４号証に記載された発明に基いて当業者が容易に発明をすることができたものであるとすることができない。
　
４．むすび
　以上のとおりであるから、異議申立ての理由及び証拠によっては、本件発明に係る特許を取り消すことはできない。
　また、他に本件発明に係る特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１２月６日（２００１．１２．６）
【訂正の要旨】
訂正の要旨
（訂正事項ａ）
　特許請求の範囲の請求項１を、特許請求の範囲の減縮を目的として、
「【請求項１】金属のチャンネル材にて形成せるパネル枠の上面側に木下地等の断熱性が高く堅固な下地材を固定し、パネル枠に複数本の木質根太を架設して木質根太の端部をパネル枠の枠材内にはめ込んで取り付けると共に木質根太の上面をパネル枠の上面より突出させて木質根太の上面を上記下地材の上面と面一にし、下地材及び木質根太の上面上に床面材を固定し、床面材の裏面に配置した断熱材を下地材間にはめ込んで取り付けて成ることを特徴とする床パネル。」と訂正する。
（訂正事項ｂ）
　段落【０００５】の「・・・下地材６や木質根太２ｂの上面上に床面材４を固定し・・・」を、明りょうでない記載の釈明を目的として、「・・・下地材６及び木質根太２ｂの上面上に床面材４を固定し・・・」と訂正する。
（訂正事項ｃ）
　段落【０００６】の「・・・下地材６や木質根太２ｂの上面上に床面材４を固定し・・・」を、明りょうでない記載の釈明を目的として、「・・・下地材６及び木質根太２ｂの上面上に床面材４を固定し・・・」と訂正する。
（訂正事項ｄ）
　段落【０００７】の「・・・パーティクルボード、合板等の床面材４は下地材６や木質根太２ｂの上に載置され、下地材６や木質根太２ｂの上に固定してある。ボード状や繊維状の断熱材５は床面材４の裏面側で下地材６と木質根太２ｂとの間や木質根太２ｂ間に配置され、・・・」を、明りょうでない記載の釈明を目的として、「・・・パーティクルボード、合板等の床面材４は下地材６及び木質根太２ｂの上に載置され、下地材６及び木質根太２ｂの上に固定してある。ボード状や繊維状の断熱材５は床面材４の裏面側で下地材６と木質根太２ｂとの間及び木質根太２ｂ間に配置され、・・・」と訂正する。
（訂正事項ｅ）
　段落【０００９】の「・・・下地材や木質根太の上面上に床面材を固定し・・・」を、明りょうでない記載の釈明を目的として、「・・・下地材及び木質根太の上面上に床面材を固定し・・・」と訂正する。
（訂正事項ｆ）
　誤記の訂正を目的として、訂正前の第２図を訂正後の第４図に、訂正前の第４図を訂正後の第２図に、それぞれ訂正する。
（５４）【発明の名称】
床パネル
（５７）【特許請求の範囲】
　【請求項１】　金属のチャンネル材にて形成せるパネル枠の上面側に木下地等の断熱性が高く堅固な下地材を固定し、パネル枠に複数本の木質根太を架設して木質根太の端部をパネル枠の枠材内にはめ込んで取り付けると共に木質根太の上面をパネル枠の上面より突出させて木質根太の上面を上記下地材の上面と面一にし、下地材
及び
【発明の詳細な説明】
　【産業上の利用分野】
　本発明は、金属のパネル枠の少なくとも片面に床面材を取り付けた床パネルの構造に関するものである。
　【従来の技術】
　従来の床パネルは図３に示すように構成されている。パネル枠１は鋼のような金属のチャンネル材にて矩形枠状に形成されており、パネル枠１内で相対向する枠材間には木材製の根太２を複数本平行に架設してある。根太２の端部は図４に示すようにパネル枠１の枠材内にはめ込んで取り付けてある。ここで３はスペーサ材である。このパネル枠１の片面側にはパーティクルボードや合板等の床面材４が配置され、床面材４がパネル枠１や根太２に固定されている。また床面材４の裏面側にはボード状や繊維状の断熱材５が配置され、パネル枠１と根太２との間や根太２間に断熱材５をはめ込んで取り付けてある。
　【発明が解決しようとする課題】
　ところが、上記従来例にあっては、金属製のパネル枠１の上に床面材４を直接固定するため、パネル枠１直上の床面材４から冷気が伝わり、結露の原因となるという問題があり、また体感上も不快が感じられるという問題もある。これは特に寒冷地域の冬季間に問題がある。またパネル枠１と根太２との間にはめ込んで取り付ける断熱材５はパネル枠１のフランジ１ａの厚みによりぴったりとはめ込まれず、隙間Ｓが生じて断熱性の低下を招くという問題がある。
　本発明は上記問題点に鑑みてなされたものであって、本発明の目的とするところは金属のパネル枠と床面材との間の冷橋を防止して結露を防止できると共に体感も快適にでき、しかも断熱材を隙間なくはめ込んで断熱性を向上できる床パネルを提供するにある。
　【課題を解決するための手段】
　上記目的を達成するため本発明床パネルは、金属のチャンネル材にて形成せるパネル枠１の上面側に木下地等の断熱性が高く堅固な下地材６を固定し、パネル枠１に複数本の木質根太２ｂを架設して木質根太２ｂの端部をパネル枠１の枠材内にはめ込んで取り付けると共に木質根太２ｂの上面をパネル枠１の上面より突出させて木質根太２ｂの上面を上記下地材６の上面と面一にし、下地材６
及び
　【作用】
　上記構成によれば、金属のパネル枠１と床面材４との間に木下地等の断熱性の高い下地材６が介在されることにより、下地材６にて冷橋を防止できて床面材４のパネル枠１と対応する部分に結露を生じたりすることがなくなると共に、パネル枠１と対応する部分だけ冷たくなって体感が悪くなったりすることがない。また断熱材５が床面材４の裏面に隙間なく当接するようにはめ込まれて断熱性を向上できる。またパネル枠１に複数本の木質根太２ｂを架設して木質根太２ｂの端部をパネル枠１の枠材内にはめ込んで取り付けると共に木質根太２ｂの上面をパネル枠１の上面より突出させて木質根太２ｂの上面を上記下地材６の上面と面一にし、下地材６
及び
　【実施例】
　鋼のような金属のチャンネル材にて形成せる枠材を矩形状の組み立ててパネル枠１を形成してある。このパネル枠１内には複数本の木質根太２ｂを架設してある。パネル枠１の上面には木下地のような断熱性が高く堅固な下地材６を装着してある。木質根太２ｂの端部は図２に示すようにパネル枠１の枠材内にはめ込んで取り付けてある。ここで３はスペーサ材である。木質根太２ｂの上面部７はパネル枠１の上面より上方に突出しており、上面部７の上端がパネル枠１上の下地材６の上面と面一になっている。パーティクルボード、合板等の床面材４は下地材６
及び
及び
及び
　上記のように構成された床パネルは金属のパネル枠１との間に下地材６を介装してあるため、冷橋が防止されて結露を生じたり部分的に冷たくなって体感が悪くなったりすることがない。また断熱材５を床面材４に隙間なく当接できるため断熱性能を向上できると共に断熱材５をぴったりはめ込んで取り付けることができるため製造性もよい。
　【発明の効果】
　本発明は叙述のようにパネル枠の上面側に木下地等の断熱性が高く堅固な下地材を固定すると共にこの下地材の上に床面材を固定してあるので、金属のパネル枠と床面材との間の下地材が介在されて冷橋が防止されるものであって、床面材に結露を生じたり、床面材のパネル枠と対応する部分が冷たくなって体感が悪くなったりすることがないものであり、しかも床面材の裏面に配置した断熱材を下地材間にはめ込んで取り付けてあるので、断熱材と床面材との間に隙間ができないように断熱材をはめ込んで取り付けることができるものであって、断熱性能を向上できると共に製造性も向上できるものである。またパネル枠に複数本の木質根太を架設して木質根太の端部をパネル枠の枠材内にはめ込んで取り付けると共に木質根太の上面をパネル枠の上面より突出させて木質根太の上面を上記下地材の上面と面一にし、下地材
及び
【図面の簡単な説明】
　【図１】
　本発明の一実施例の一部切欠断面図である。
　【図２】
　同上の木質根太の取り付け状態を示す断面図である。
　【図３】
　従来例の一部切欠断面図である。
　【図４】
　従来例の根太の取り付け状態を示す断面図である。
　【符号の説明】
　１　パネル枠
　４　床面材
　５　断熱材
　６　下地材
【図面】